(57)【要約】      （修正有）【課題】回転せず、確実に上下動等の揺れ運動を行うことができる釣り用ルアーであって、より好適にはスプーン状のルアーを提供する。【解決手段】長手方向に延びた板状の本体からなり、水の横方向の相対的な動きを抑制するように、該板状の面から起立する突出部１ｆを有することを特徴とするルアー１。突出部は長手方向に対して左右対称に前方から後方にかけて部分的に起立し、プレス加工で一体的に形成することができる。【選択図】図１
0003101959.tif 000002
【実用新案登録請求の範囲】
【請求項１】
長手方向に延びた板状の本体からなる釣り用のルアーであって、水の横方向の相対的な動きを抑制するように該板状の面から起立した突出部を有することを特徴とするルアー。
【請求項２】
前記板状の本体には湾曲した凹部が形成されているスプーン型であることを特徴とする請求項１に記載のルアー。
【請求項３】
前記板状の本体は、側方から見たときに一方の面へと湾曲して凹部を形成する部分と他方の面に湾曲する部分が形成されたスプーン型であることを特徴とする請求項１に記載のルアー。
【請求項４】
前記突出部は、長手方向において途中から部分的に設けられていることを特徴とする請求項２又は３に記載のルアー。
【請求項５】
前記突出部は、前記凹部が形成されている面に設けられていることを特徴とする請求項２又は３に記載のルアー。
【請求項６】
前記突出部がルアーの長手方向中心軸に対して両側且つ凹面側に形成されていることを特徴とする請求項１乃至５のいずれかに記載のルアー。
【請求項７】
前記ルアーは、プレス加工によって形成されていることを特徴とする請求項６に記載のルアー。
【考案の詳細な説明】
【技術分野】
【０００１】
この考案は、釣りを行うために使用されるルアー、特にスプーンに関するものである。
【背景技術】
【０００２】
従来から、釣りの擬似餌として金属製のルアーが使用されている。ルアーには、水中に投入されたときや水中で引き回されたときに、魚が興味を引くようなジグザグな運動をしたり、上下に揺れるような動きを与えて魚を誘うように、板状の面が湾曲したスプーンが知られている。このスプーンは、通常、長手方向に延び、その面から見たときに水滴形、紡錘形もしくは卵形等を有している。
【特許文献１】特開２００３−０００１０５号公報
【考案の開示】
【考案が解決しようとする課題】
【０００３】
スプーンの運動は、ボディの大きさや重さ、厚さ、形、糸の取り付け位置等の諸条件によって基本的に決まることになる。しかし、スプーン自体の重さや大きさには限界があり、少しの動きで水の抵抗を受け易いために、その動作がアンバランスになりやすく、回転して当初の希望した運動を行わなくなることがしばしばである。
【０００４】
特に、ルアーアクションによって、ルアーを引く力は常に一定というものではなく、時に強く、時に弱く引くために、速度の変化が生じ、アンバランスがさらに生じることで、スプーンが回転してしまい、興味のある運動で魚を誘うという本来の目的を達成することができなくなる。
【０００５】
また、スプーン状のルアーでは、所定の板厚体が長手方向に対して直角の方向に円弧（カーブ）を形成するようにしているために、ひとたび回転が始まると、その円弧に沿って横方向に水が流れ更に回転を助長してしまう。また、スプーンにねじれ等のわずかな変形が生じていても、水流のバランスが変わって回転を起こしてしまう。
【０００６】
特開２００３−０００１０５号公報には、天然貝を使ったスプーンに関し、天然貝のゆがみやねじれによって回転を起こしてしまうことを防止するために、側縁部の面取りを左右両側で違えることによってそのねじれによる回転力を抑えるようにしている。
【０００７】
しかし、ルアーアクションはその引く速度が必ずしも一定ではなく、アンバランスとなる力がかかりやすい。さらに、ひとたび回転を起こすと、その回転を助長するような水の流れまでは制止できず、完全には回転を防止できない。
【０００８】
本考案はかゝる問題に鑑み、回転せず、所望の運動を確実に行うことができる釣り用ルアー、より好適にはスプーン状のルアーを提供することを目的としたものである。  
【課題を解決するための手段】
【０００９】
前記目的を達成するため、本考案のルアーは、長手方向に延びた板状の本体からなり、水の横方向の相対的な動きを抑制するように、該板状の面から起立する突出部を有することを特徴とするものである。
【００１０】
この起立した突出部を設けることで、回転のブレを制止することができ、ルアーの引きが弱いときには、ゆらゆらとあるいはジグザグと揺れることができる程度に突出部での水の抵抗は下がり、ルアーの引きが強いときには、その翼部による回転方向への水の抵抗が強くなり、確実に回転を防止させることができる。
【００１１】
好ましいのは、このルアーは、湾曲面が板状の本体に形成されているスプーン型で、具体的には、前記板状の本体が、側方から見たときに一方の面へと湾曲する部分と他方の面に湾曲する部分によって長手方向に沿って波状を形成するようにしたスプーン型であることを特徴とするものである。この湾曲面によって、面の上下の方向に揺れるような動作を確実に与えることが可能となる。
【００１２】
より具体的な形態として、突出部は長手方向の途中から後方に向けて部分的に起立していることを特徴とするものである。
【００１３】
突出部が途中から延びていることで、ルアーの先端方向から湾曲面に沿って流れてきた水をより適切に後方へと追いやることで、回転を抑止しながら確実に湾曲面に応じた動作が行える。
【００１４】
さらに、突出部は凹部が形成されている面に設けられていることで、回転により生じた横方向の水の流れを助長させることがない。
【００１５】
特に、突出部をルアーの長手方向中心軸に対して凹面側の両側に持つ構造を採用することで、突出部となる平板の突出片を予め設け、それを折り曲げることで簡単に回転を防止する突出部を形成することができる。この構造を採用することで、プレス加工によって一体的にそして同時に突出部を有するルアーを提供することも可能となる。
【考案を実施するための最良の形態】
【００１６】
以下、図面を参照して本考案の実施の形態を説明する。図１はこの考案に係る釣り用ルアーの一例を示したものであり、道糸Ｐと釣り針Ｗが夫々前後に取り付けられたスプーン１の全体斜視図である。また、図２は、図１の実施例で示したスプーン１の外観図であり、平面図（図２Ａ）、正面図（図２Ｂ）、底面図（図２Ｃ）、左側面図（図２Ｄ）、右側面図（図２Ｅ）を夫々示している。また、図３は、スプーン１の長手方向の中心軸Ｏ−Ｏ'（図２Ａ参照）に沿った断面図であり、図４は、横方向のＢ−Ｂ'（図２Ｃ参照）に沿った断面図である。
【００１７】
スプーン１は、ほぼ同じ厚さを有する平板を打ち抜くことで作ることができる。スプーン１は容易には曲げられない程度の厚さの板、好ましくは金属板からなり、この例では、約１．１ｍｍの厚さｔ（図３参照）を有する所定の形状の金属製の板をプレス加工によって得るようにした。スプーン１の一方の面の形状は他方の面の形状にほぼ沿っており、図２乃至図４で示した外形及び断面図からスプーン１の内側の形状を十分把握することができるだろう。
【００１８】
スプーン１は、平面から見たときに、長手方向（図２ＡのＯ−Ｏ'方向）において、一方の端が丸みを帯びて先細りした先端部１ａと、先端部１ａから後方にかけて徐々に幅を広げる中間部１ｃと、その中間部１ｃから他方の端が大きく丸み（すなわち、先端部１ａのカーブよりも緩やかなカーブ）をもって終わる末端部１ｂを有し、幅広の部分が中心から末端部１ｂの方向に偏って位置するいわゆる細長の卵型を形成している。長手方向の全長Ｌは略２９ｍｍであり、中央位置から末端部１ｂ方向に偏って位置する最大幅Ｗが約１４ｍｍである。
【００１９】
図３及び図４から明らかなように、スプーン１の中央部分から末端部１ｂ方向にずれた位置には球面上に窪んだ凹部１ｅが形成されている。また図２を同時に参照すると、凹部１ｅの一部が末端部１ｂを形成し、凹部１ｅから中間部１ｃ方向に向かうに従い、軸Ｏ−Ｏ'方向から見て凹部１ｅのカーブよりも緩いカーブを形成しながら次第に起伏した後さらに中間部１ｃから先端部１ａにかけてはわずかに湾曲して下方に垂れている。スプーン１の先端部１ａと末端部１ｂにはスプーン１の長手方向の軸上に孔２、３が夫々形成されている。
【００２０】
スプーン１は、図２Ａの平面からみて、長手方向の軸Ｏ−Ｏ'を中心として左右対称であり、両側には長手方向に延びて起立した一対の突出部１ｆが形成されている。突出部１ｆは、中間部１ｃ付近から末端部１ｂ方向に行くに従い次第に高くなり凹部１ｅを部分的に挟むようにし、途中で後端部１ｂの高さまで落ちて切り立った壁となっている。突出部１ｆの長手方向の長さＬ１は約１４ｍｍで、末端部１ｂの辺からの最大高さｈが約２ｍｍである。この突出部１ｆは、スプーン１をプレス加工する際に板の突出片１ｆを両側で折ることで形成することができる。
【００２１】
次に、本考案の使用と動作の一例を説明すると、スプーン１の先端部１ａに設けられた孔２及び末端部１ｂに設けられた孔３には夫々止め輪４、５が揺動可能に係入されている。止め輪４には釣竿（図示せず）から延びた道糸Ｐが止着され、止め輪５は針Ｗの末端に設けられた孔に係入されて針Ｗが揺動可能に吊下げられている。したがって、止め輪４、５によって、スプーン１は道糸Ｐと針Ｗに対して自由に動くことができる。スプーン１の重心は末端部１ｂの方向に偏っているために、キャスティングしたときは、末端部１ｂが先に飛ぶように作用する。また、水中においても、その重心の偏りにより、末端部１ｂが下になるように作用する。道糸Ｐを引きよせると、図３の断面図から見て、水はスプーン１の上面及び下面の形状に沿って流れる。このとき、スプーン１は、ｍスプーン１の板状の面が長手方向に沿って波状に形成されているために、水中に沿ってスプーン１の先端部１ａはスプーン１の板状の面方向に首を振るように動作する。スプーン１の凹部１ｅに進入する水は、左右の突出部１ｆによってさえぎられ、そのまま末端部１ｂの方へと流れていく。何らかの原因で回転動作が生ずると、スプーン１の凹部１ｂに沿って横方向に相対的に移動した水はその先の突出部１ｆに行く手が遮られて抵抗を受けることでその回転が抑止される。従って、回転が制限されながらジグザグのような魚を誘う動作を行うことができる。
【００２２】
このように、スプーンの略長手方向に延びて横方向の水の流れを抑止する壁となる突出部を設けることにより、横方向への回転を防止しながら所望の揺れやジグザグ動作等を達成できる新たなスプーンを得ることができたものである。ここでは、製造を容易にするために、突出部１ｆは、金属製の平板の突出片をプレス加工によって折って得るようにしたが、これに限定されるものではなく、突出部１ｆをスプーン１の本体に溶接又は接着等で取り付けたり、若しくは一体成形して設けるようにしてもよい。また、突出部１ｆを両側の端に設けることは、スプーン１のバランスを保ちながら両方で回転を防止でき、しかもプレス加工で一体的に形成することができるために好ましいが、横方向の水に対して抵抗できる限り、例えば端から離れた位置に設けるようにしてもよい。また、長手方向の中心Ｏ−Ｏ'（図２Ａ参照）上に設けた一枚の突出片であってもよい。
【００２３】
尚、本例では、先端部１ａ、後端部１ｂをそれぞれ大、小の局率をもつカーブを描くようにしているが、これは一例であって特にこれに限定されるものではない。また、本例のように全体の板厚を一定にするほか、後端部に重心を移すために、後端部方向にかけて板厚を増す等、板厚を変えるようにしてもよい。
【図面の簡単な説明】
【００２４】
【図１】本考案の例によるスプーン状の釣り用ルアー１を使用した場合の全体斜視図である。
【図２Ａ】図１に示したルアー１の平面図である。
【図２Ｂ】図１に示したルアー１の正面図である。
【図２Ｃ】図１に示したルアー１の底面図である。
【図２Ｄ】図１に示したルアー１の左側面図である。
【図２Ｅ】図１に示したルアー１の右側面図である。
【図３】図１に示したルアー１の軸Ｏ−Ｏ'方向の断面図である。
【図４】図１に示したルアー１のＢ−Ｂ'方向の断面図である。
【符号の説明】
【００２５】
１  ルアー
１ａ  先端部
１ｂ  末端部
１ｃ  中央部
１ｄ  底部
１ｅ  凹部
１ｆ  突出部（突出片）
２、３  孔
４、５  止め輪
Ｐ  道糸
Ｗ  釣り針
【図１】
0003101959.tif 000003
【図２Ａ】
0003101959.tif 000004
【図２Ｂ】
0003101959.tif 000005
【図２Ｃ】
0003101959.tif 000006
【図２Ｄ】
0003101959.tif 000007
【図２Ｅ】
0003101959.tif 000008
【図３】
0003101959.tif 000009
【図４】
0003101959.tif 000010